(57)【要約】【課題】人が存在しない場合に電子機器の負荷が駆動された状態となることを抑制する。【解決手段】電子機器１は、検知領域の熱の変化に応じた波形信号を出力する焦電素子１０と、負荷２０の駆動態様を切り替える基準となる第１の閾値ＴＨ１を設定する閾値設定部３１と、上記波形信号が第１の閾値ＴＨ１を超える場合に負荷２０を駆動する駆動部とを備える。閾値設定部３１は、検知領域に人が存在せずかつ波形信号が第１の閾値ＴＨ１を断続的に超える場合に、第１の閾値ＴＨ１の値を現状よりも大きな値に変更する。【選択図】図６
2020194626.tif 000002
【特許請求の範囲】
【請求項１】
負荷を備える電子機器であって、
検知領域の熱の変化に応じた波形信号を出力する焦電素子と、
前記負荷の駆動態様を切り替える基準となる第１の閾値を設定する閾値設定部と、
前記波形信号が前記第１の閾値を超える場合に前記負荷を駆動する駆動部と
を備え、
前記閾値設定部は、前記検知領域に人が存在せずかつ前記波形信号が前記第１の閾値を断続的に超える場合に、前記第１の閾値の値を現状よりも大きな値に変更する
電子機器。
【請求項２】
前記電子機器は、照明器具であり、
前記負荷は、光源である
請求項１に記載の電子機器。
【請求項３】
前記第１の閾値は、前記人が定位置で動いているか否かを判断するための基準値である
請求項１または２に記載の電子機器。
【請求項４】
前記閾値設定部は、前記第１の閾値の値を変更した後、前記波形信号が変更前の前記第１の閾値を超えるか否かを判断する
請求項１〜３のいずれか１項に記載の電子機器。
【請求項５】
前記閾値設定部は、前記第１の閾値の値を変更した後、前記波形信号が変更前の前記第１の閾値を超えない場合に、前記第１の閾値を変更後の値から変更前の値に戻す
請求項４に記載の電子機器。
【請求項６】
前記焦電素子は、前記波形信号として、アナログ信号を出力する
請求項１〜５のいずれか１項に記載の電子機器。
【請求項７】
前記第１の閾値は、前記焦電素子の最大出力電圧の１／５以下である
請求項１〜６のいずれか１項に記載の電子機器。
【請求項８】
さらに、前記人が移動しているか否かを判断するための基準値である第２の閾値を記憶する記憶部を備え、
前記閾値設定部は、変更後の前記第１の閾値を前記第２の閾値以下に設定する
請求項１〜７のいずれか１項に記載の電子機器。
【請求項９】
前記第２の閾値は、前記焦電素子の最大出力電圧の３／５以上である
請求項８に記載の電子機器。
【請求項１０】
前記閾値設定部は、前記検知領域に人が存在せずかつ前記波形信号が前記第１の閾値を規定期間に規定回数超える場合に、前記第１の閾値の値を現状よりも大きな値に変更する
請求項１〜９のいずれか１項に記載の電子機器。
【請求項１１】
前記規定期間は１分であり、前記規定回数は９回以上２６回以下である
請求項１０に記載の電子機器。
【発明の詳細な説明】
【技術分野】
【０００１】
本発明は、熱を検知することによって負荷を駆動する電子機器に関する。
【背景技術】
【０００２】
従来、焦電素子を用いて熱を検知する人体検知器が知られている。特許文献１に記載された人体検知器は、検知領域に人が存在しない場合に、人体検知器から出力される信号が所定の閾値を超えるか否かを判断することで、単なる温度変化等に起因する信号が人体検知信号であると誤検知することを防いでいる。また、この人体検知器では、検知領域に人が存在する場合に、人体検知器から出力される信号が上記所定の閾値と異なる閾値を超えるか否かを判断することで、検知領域に人が存在するにもかかわらず存在していないと誤検知することを防いでいる。
【先行技術文献】
【特許文献】
【０００３】
【特許文献１】特開平６−３３６６号公報
【発明の概要】
【発明が解決しようとする課題】
【０００４】
しかしながら、特許文献１に記載された人体検知器では、検知領域に人が存在しない場合に、検知領域にて不定期に発生する放射熱等によって人が存在していると誤検知することがある。その場合、検知領域に人が存在しないにもかかわらず、照明器具などの電子機器の負荷が駆動された状態となることがある。
【０００５】
そこで本発明は、人が存在しない場合に電子機器の負荷が駆動された状態となることを抑制することを目的とする。
【課題を解決するための手段】
【０００６】
本発明の一態様に係る電子機器は、負荷を備える電子機器であって、検知領域の熱の変化に応じた波形信号を出力する焦電素子と、前記負荷の駆動態様を切り替える基準となる第１の閾値を設定する閾値設定部と、前記波形信号が前記第１の閾値を超える場合に前記負荷を駆動する駆動部とを備え、前記閾値設定部は、前記検知領域に人が存在せずかつ前記波形信号が前記第１の閾値を断続的に超える場合に、前記第１の閾値の値を現状よりも大きな値に変更する。
【発明の効果】
【０００７】
本発明によれば、人が存在しない場合に電子機器が駆動された状態となることを抑制することができる。
【図面の簡単な説明】
【０００８】
【図１】電子機器の一例である照明器具が設置される空間領域を示す概略図である。
【図２】図１に示す空間領域にて空調機が稼働しているときに電子機器の焦電素子から出力される波形信号を示す図である。
【図３】実施の形態に係る電子機器の一例である照明器具の外観図である。
【図４】実施の形態に係る電子機器のブロック構成図である。
【図５】焦電素子から出力される波形信号を示す図であって、図５の（ａ）は人が定位置で動いている場合、（ｂ）は人が不在の場合、（ｃ）は人が移動している場合の各波形信号を示す図である。
【図６】第１の閾値の値が変更される場合を示す図である。
【図７】焦電素子から出力される波形信号が第１の閾値を断続的に超える様子を模式的に示す図である。
【図８】実施の形態に係る電子機器の動作を示すフローチャートである。
【図９】実施の形態に係る電子機器の動作の他の例を示すフローチャートである。
【図１０】第１の閾値の値が変更前の値に戻される場合を示す図である。
【図１１】実施の形態の変形例に係る電子機器の動作を示すフローチャートである。
【発明を実施するための形態】
【０００９】
（実施の形態）
［１．本発明に至る経緯］
本発明に至る経緯について、図１および図２を参照しながら説明する。
【００１０】
図１は、電子機器１の一例である照明器具が設置される空間領域を示す概略図である。
【００１１】
図１に示すように、照明器具が設置される空間領域は、建物の天井、壁および床に囲まれて構成されている。建物の天井には照明器具が設置され、壁には空調機（エアーコンディショナ）２が設置され、床には机が配置されている。図１の（ａ）には、人が机上で作業を行っている状態が示されており、図１の（ｂ）には、人が机から離れ、焦電素子１０の検知領域に人が存在していない状態が示されている。
【００１２】
照明器具は、検知領域の熱の変化に応じた波形信号を出力する焦電素子１０と、負荷である光源とを備えている。この照明器具は、人が発する赤外線を焦電素子１０で検知することで、光源を点灯させる。
【００１３】
焦電素子１０の検知性能の向上により、焦電素子１０は人の僅かな動きを検知することが可能になっているが、その反面、空間領域における熱のゆらぎなども検知するようになっている。そのため、焦電素子１０の検知領域に人が存在しないにもかかわらず人が存在していると誤検知することがある。
【００１４】
図２は、空間領域にて空調機２が稼働しているときに電子機器（照明器具）１の焦電素子１０から出力される波形信号を示す図である。例えば、空調機２の稼働によって机および床が加熱され、机および床から放出される不定期な放射熱を焦電素子１０が検出すると、焦電素子１０から出力される波形信号にノイズ波形が表れる。この場合、図１の（ｂ）に示すように検知領域に人が存在しないにもかかわらず、照明器具は、人が存在していると判断して点灯した状態となる。
【００１５】
従来の電子機器では、検知領域にて不定期に発生する放射熱等によって、人が存在しないにもかかわらず存在すると判断して電子機器の負荷が駆動された状態になることがある。それに対し本発明の電子機器は、以下に示す構成を有しており、人が存在しない場合に電子機器の負荷が駆動された状態となることを抑制することができる。
【００１６】
以下、実施の形態について、図面を参照しながら具体的に説明する。なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、本発明の一形態に係る実現形態を示す独立請求項に記載されていない構成要素については、任意の構成要素として説明される。本発明の実現形態は、現行の独立請求項に限定されるものではなく、他の独立請求項によっても表現され得る。
【００１７】
なお、各図は模式図であり、必ずしも厳密に図示されたものではない。また、各図において、実質的に同一の構成に対しては同一の符号を付しており、重複する説明は省略または簡略化される場合がある。
【００１８】
［２．電子機器の構成］
実施の形態に係る電子機器１の構成について、図３〜図７を参照しながら説明する。
【００１９】
図３は、電子機器１の一例である照明器具の外観図である。図４は、電子機器１のブロック構成図である。
【００２０】
電子機器１は、熱を検知することによって負荷２０を駆動する機器である。電子機器１は、例えば、建物の天井または壁に設置される。本実施の形態では、電子機器１が照明器具であり、負荷２０が光源である場合を例に挙げて説明する。
【００２１】
図３および図４に示すように、電子機器１は、焦電素子１０と、負荷２０と、制御部３０とを備えている。焦電素子１０は、電子機器１の筐体４０の下側、すなわち床側に設けられ、負荷２０および制御部３０のそれぞれは、筐体４０の内部に設けられている。焦電素子１０、負荷２０のそれぞれは、制御部３０に接続されている。
【００２２】
負荷２０は、例えば、ＬＥＤ（Ｌｉｇｈｔ  Ｅｍｉｔｔｉｎｇ  Ｄｉｏｄｅ）素子などの光源であり、制御部３０によって調光制御される。
【００２３】
焦電素子１０は、熱の変化を検出し、熱の変化に応じた波形信号を出力する素子である。具体的には焦電素子１０は、検知領域における赤外線を受光し、赤外線の受光量の変化に応じた電圧信号を制御部３０に出力する。焦電素子１０から出力される波形信号は、アナログ信号である。
【００２４】
制御部３０は、閾値設定部３１と、駆動部３２と、記憶部３３とを備えている。制御部３０が有する各機能は、マイクロプロセッサ、メモリおよびメモリに格納されたプログラムなどによって実現される。
【００２５】
制御部３０は、焦電素子１０の波形信号の信号レベル（振幅）の大きさを見分けるための第１の閾値ＴＨ１および第２の閾値ＴＨ２を有している。第１の閾値ＴＨ１は、人が定位置で動いているか否か、すなわち人が微動しているか否かを判断するための信号レベルの基準値であり、第２の閾値ＴＨ２は、検知領域で人が移動しているか否かを判断するための信号レベルの基準値である。
【００２６】
図５は、焦電素子１０から出力される波形信号を示す図であって、図５の（ａ）は人が定位置で動いている場合、（ｂ）は人が不在の場合、（ｃ）は人が移動している場合の各波形信号を示す図である。
【００２７】
例えば、図５の（ａ）に示すように、波形信号の信号レベルが第１の閾値ＴＨ１を超えると検知領域に人が存在していると判断され、図５の（ｂ）に示すように、波形信号の信号レベルが第１の閾値ＴＨ１を超えないと人が不在であると判断される。また、図５の（ｃ）に示すように、波形信号の信号レベルが第２の閾値ＴＨ２を超えると人が移動していると判断される。第２の閾値ＴＨ２は、第１の閾値ＴＨ１よりも大きな値に設定される。例えば、第１の閾値ＴＨ１は、焦電素子１０の最大出力電圧の１／５以下に設定され、第２の閾値ＴＨ２は、焦電素子１０の最大出力電圧の３／５以上に設定される。
【００２８】
駆動部３２は、波形信号の信号レベルが第１の閾値ＴＨ１を超える場合、すなわち検知領域に人が存在している場合に負荷２０を駆動する。また、駆動部３２は、波形信号の信号レベルが第１の閾値ＴＨ１以下である場合に負荷２０を駆動しない。このように第１の閾値ＴＨ１は、負荷２０の駆動態様を切り替えるための基準値となっている。負荷２０の駆動態様の切り替えとは、例えば、照明器具の光源の点灯、消灯および暗点灯の切り替えである。
【００２９】
記憶部３３は、第１の閾値ＴＨ１および第２の閾値ＴＨ２を記憶する。また、記憶部３３は、後述する変更後の第１の閾値ＴＨ１の値、および、変更前の第１の閾値ＴＨ１の値を記憶する。本実施の形態における第１の閾値ＴＨ１は、検知領域で発生する放射熱の量などに応じて変更される値であり、第２の閾値ＴＨ２は固定値である。
【００３０】
閾値設定部３１は、検知領域で発生する放射熱の量などに応じて、第１の閾値ＴＨ１の値を適切な値に変更する。具体的には閾値設定部３１は、検知領域に人が存在しない状況において焦電素子１０から出力される波形信号に基づいて、第１の閾値ＴＨ１の値を放射熱の影響を受けにくい値に変更する。
【００３１】
図６は、第１の閾値ＴＨ１の値が変更される場合を示す図である。図６の（ａ）には、焦電素子１０から出力される波形信号の信号レベルの極大値（以下、ピーク値と呼ぶ場合がある）が第１の閾値ＴＨ１を断続的に超えている例が示されている。閾値設定部３１は、波形信号の信号レベルが第１の閾値ＴＨ１を断続的に超える場合、図６の（ｂ）に示すように、第１の閾値ＴＨ１の値を現状よりも大きな値に変更する。このように第１の閾値ＴＨ１を大きな値に変更することで、波形信号が第１の閾値ＴＨ１を超える回数を減らしている。なお、波形信号が第１の閾値ＴＨ１を断続的に超えるとは、波形信号が第１の閾値ＴＨ１を繰り返し横切ることを意味する。
【００３２】
図７は、焦電素子１０から出力される波形信号の信号レベルが第１の閾値ＴＨ１を断続的に超える様子を模式的に示す図である。閾値設定部３１は、例えば図７に示すように、波形信号の信号レベルが第１の閾値ＴＨ１を１分間に９回超えた場合に、第１の閾値ＴＨ１の値を現状よりも大きな値に変更してもよい。すなわち閾値設定部３１は、焦電素子１０の波形信号の信号レベルが第１の閾値ＴＨ１を規定期間に規定回数超える場合に、第１の閾値ＴＨ１の値を現状よりも大きな値に変更してもよい。上記規定期間は例えば１分であり、上記規定回数は例えば９回以上２６回以下の範囲から選択される。上記規定期間および上記規定回数は、焦電素子１０の性能、空調機の性能、検知領域における机の配置等によって適宜決められる。
【００３３】
このように本実施の形態の電子機器１では、検知領域に人が存在せずかつ波形信号が第１の閾値ＴＨ１を断続的に超える場合に、第１の閾値ＴＨ１の値を現状よりも大きな値に変更する。これにより、人が存在しない場合に電子機器１の負荷２０が駆動された状態となることを抑制することができる。
【００３４】
［３．電子機器の動作］
次に、実施の形態に係る電子機器１の動作について図８〜図１０を参照しながら説明する。
【００３５】
図８は、電子機器１の動作を示すフローチャートである。
【００３６】
まず、制御部３０は、焦電素子１０から出力される波形信号を受け付ける（ステップＳ１１）。
【００３７】
次に、制御部３０は、上記波形信号のピーク値が第１の閾値ＴＨ１以上となっているか否かを判断する（ステップＳ１２）。なお、波形信号のピーク値が第１の閾値ＴＨ１以上となっているか否かは、波形信号のピーク値が第１の閾値ＴＨ１以上となった回数によって判断されてもよい。この回数は、１回に限られず、焦電素子１０が拾うノイズ等の影響を低減するため、２回以上に設定されてもよい。
【００３８】
波形信号のピーク値が第１の閾値ＴＨ１以上となっていなければ（Ｓ１２にてＮｏ）、検知領域に人が存在していないことになるので、制御部３０は電子機器１の負荷２０を駆動しない、もしくは負荷２０を駆動停止する（ステップＳ２２）。一方、波形信号のピーク値が第１の閾値ＴＨ１以上となっていれば（Ｓ１２にてＹｅｓ）、検知領域に人が存在していることになるので、制御部３０は電子機器１の負荷２０を駆動させる（ステップＳ１３）。具体的には、電子機器１が照明器具である場合、制御部３０は負荷２０である光源を点灯させる。
【００３９】
次に、制御部３０は、波形信号のピーク値が第２の閾値ＴＨ２以内であるか否かを判断する（ステップＳ１４）。ここで波形信号のピーク値が第２の閾値ＴＨ２よりも大きければ（Ｓ１４にてＮｏ）、人が移動していることになるのでステップＳ１１に戻って、人の移動が終了するまでステップＳ１１以降の処理を再び行う。一方、波形信号のピーク値が第２の閾値ＴＨ２以内であれば（Ｓ１４にてＹｅｓ）、人が移動しておらず定位置で動いていることになり、次のステップに進む。
【００４０】
次のステップでは、検知領域にて不定期に発生する放射熱があるか否かを判断する（ステップＳ１５）。例えば制御部３０は、波形信号のピーク値が第１の閾値ＴＨ１を断続的に超えていなければ放射熱が少ないと判断し（Ｓ１５にてＮｏ）、第１の閾値ＴＨ１を変更せずにステップＳ１１に戻る。一方、波形信号のピーク値が第１の閾値ＴＨ１を断続的に超えていれば放射熱が多く発生していると判断し（Ｓ１５にてＹｅｓ）、第１の閾値ＴＨ１の値を変更する（ステップＳ１６）。制御部３０は、第１の閾値ＴＨ１の値を変更する際に、放射熱の影響を受けにくいように余裕値を設けて変更後の第１の閾値ＴＨ１の値を設定してもよい。
【００４１】
このように、波形信号のピーク値が第１の閾値ＴＨ１を断続的に超える場合に、第１の閾値ＴＨ１の値を現状よりも大きな値に変更することで、人が存在しない場合に電子機器１の負荷２０が駆動された状態となることを抑制することができる。
【００４２】
次に、電子機器１の動作の他の例について説明する。上記では、誤検知を抑制するために第１の閾値ＴＨ１を現状よりも大きな値にする例について説明したが、第１の閾値ＴＨ１の値が大きくなりすぎると人の存在を検知できなくなることがある。そこで、第１の閾値ＴＨ１の値を初期の値に戻す例について説明する。
【００４３】
図９は、電子機器１の動作の他の例を示すフローチャートである。
【００４４】
まず、制御部３０は、焦電素子１０から出力される波形信号を受け付け（ステップＳ１１）、波形信号のピーク値が第１の閾値ＴＨ１以上となっているか否かを判断する（ステップＳ１２）。ここで波形信号のピーク値が第１の閾値ＴＨ１以上となっていなければ（Ｓ１２にてＮｏ）、負荷２０の駆動を停止する前に次のステップを行う。
【００４５】
次のステップにて制御部３０は、波形信号のピーク値の、変更前の第１の閾値ＴＨ１を超える回数が第１カウント数以内であるか否かを判断する（ステップＳ２１）。なお、第１カウント数は、例えば２回以下の数であり、図７で例示した回数よりも小さな数に設定される。第１カウント数を設定するのは、焦電素子１０が拾うノイズ等の影響を低減するためである。
【００４６】
ここで、波形信号のピーク値の、変更前の第１の閾値ＴＨ１を超える回数が第１カウント数以内であれば（Ｓ２１にてＹｅｓ）、検知領域に本当に人が存在していないことになるので、制御部３０は電子機器１の負荷２０を駆動しない、もしくは負荷２０を駆動停止する（ステップＳ２２）。一方、波形信号のピーク値の、変更前の第１の閾値ＴＨ１を超える回数が第１カウント数よりも大きければ（Ｓ２１にてＮｏ）、次のステップに進み、さらに、変更前の第１の閾値ＴＨ１を超える回数が第２カウント数以内であるか否かを判断する（ステップＳ２３）。なお、第２カウント数は、例えば、３回以上８回以下の数であり、第１カウント数よりも大きくかつ図７で示した回数よりも小さな数に設定される。第２カウント数を設定するのは、焦電素子１０が拾うノイズ等の影響を低減するためである。なお、第２カウント数は、図７で説明した規定回数と同じ回数であってもよい。
【００４７】
ここで、波形信号のピーク値の、変更前の第１の閾値ＴＨ１を超える回数が第２カウント数よりも大きければ（Ｓ２３にてＮｏ）、第１の閾値ＴＨ１を初期の値に戻しても誤検知する可能性があるので、第１の閾値ＴＨ１を初期の値に戻さず、ステップＳ１１以降の処理を再び行う。一方、変更前の第１の閾値ＴＨ１を超える回数が第２カウント数以内であれば（Ｓ２３にてＹｅｓ）、波形信号が安定しているとみなし、制御部３０は、第１の閾値ＴＨ１の値を変更前の値に戻す（ステップＳ２４）。
【００４８】
図１０は、第１の閾値ＴＨ１の値が変更前の値に戻される場合を示す図である。図１０の（ａ）には、焦電素子１０から出力される波形信号のピーク値が第１の閾値ＴＨ１を超えていない例が示されている。このように閾値設定部３１は、波形信号のピーク値が第１の閾値ＴＨ１を超えない場合、例えば規定期間に第１の閾値ＴＨ１を超える回数が第２カウント数以内である場合、図１０の（ｂ）に示すように第１の閾値ＴＨ１の値を変更前の値（初期の値）に戻す。制御部３０は、第１の閾値ＴＨ１の値を変更前の値に戻した後、ステップＳ１１に戻り、引き続きステップＳ１１以降の処理を実行する。
【００４９】
このように閾値設定部３１が、第１の閾値ＴＨ１の値を変更した後、波形信号が変更前の第１の閾値ＴＨ１を規定期間に第２カウント数を超えるか否かを判断する。そして、波形信号が変更前の第１の閾値ＴＨ１を規定期間に第２カウント数超えない場合に、第１の閾値ＴＨ１を変更後の値から変更前の値に戻す。これにより、第１の閾値ＴＨ１が適切な値に変更される。
【００５０】
［４．実施の形態の変形例］
次に、実施の形態の変形例に係る電子機器１の動作について説明する。変形例の電子機器１の動作では、上記実施の形態のように負荷２０を駆動してから第１の閾値ＴＨ１の変更要否を確認するのでなく、先に第１の閾値ＴＨ１の変更要否を確認してから負荷２０を駆動させている。
【００５１】
図１１は、変形例に係る電子機器１の一例である照明器具の動作を示すフローチャートである。
【００５２】
まず、制御部３０は、焦電素子１０から出力される波形信号を受け付ける（ステップＳ１１）。
【００５３】
次に、制御部３０は、波形信号のピーク値が第１の閾値ＴＨ１以上となっているか否かを判断する（ステップＳ１２）。波形信号のピーク値が第１の閾値ＴＨ１以上となっていなければ（Ｓ１２にてＮｏ）、検知領域に人が存在していないことになるので、制御部３０は電子機器１の負荷２０を駆動しない、もしくは負荷２０を駆動停止する（ステップＳ２２）。一方、波形信号のピーク値が第１の閾値ＴＨ１以上となっていれば（Ｓ１２にてＹｅｓ）、検知領域に人が存在していることになるので、次のステップに進む。
【００５４】
次のステップで、制御部３０は、波形信号のピーク値が第２の閾値ＴＨ２以内であるか否かを判断する（ステップＳ１４）。ここで波形信号のピーク値が第２の閾値ＴＨ２よりも大きければ（Ｓ１４にてＮｏ）、人が移動していることになるのでステップＳ１７に進み、負荷２０を駆動する。一方、波形信号のピーク値が第２の閾値ＴＨ２以内であれば（Ｓ１４にてＹｅｓ）、人が移動しておらず定位置で動いていることになり、ステップＳ１５に進む。
【００５５】
ステップＳ１５では、検知領域にて不定期に発生する放射熱があるか否かを判断する。例えば制御部３０は、波形信号のピーク値が第１の閾値ＴＨ１を断続的に超えていなければ放射熱が少ないと判断し（Ｓ１５にてＮｏ）、第１の閾値ＴＨ１を変更せずにステップＳ１７に進む。一方、波形信号のピーク値が第１の閾値ＴＨ１を断続的に超えていれば放射熱が多く発生していると判断し（Ｓ１５にてＹｅｓ）、第１の閾値ＴＨ１の値を変更する（ステップＳ１６）。そして制御部３０は、第１の閾値ＴＨ１を変更した後、電子機器１の負荷２０を駆動させる（ステップＳ１７）。
【００５６】
変形例においても、波形信号が第１の閾値を断続的に超える場合に、第１の閾値ＴＨ１の値を現状よりも大きな値に変更することで、人が存在しない場合に電子機器１の負荷２０が駆動された状態となることを抑制することができる。
【００５７】
［５．効果等］
本実施の形態に係る電子機器１は、負荷２０を備える電子機器１であって、検知領域の熱の変化に応じた波形信号を出力する焦電素子１０と、負荷２０の駆動態様を切り替える基準となる第１の閾値ＴＨ１を設定する閾値設定部３１と、上記波形信号が第１の閾値ＴＨ１を超える場合に負荷２０を駆動する駆動部とを備える。閾値設定部３１は、検知領域に人が存在せずかつ波形信号が第１の閾値ＴＨ１を断続的に超える場合に、第１の閾値ＴＨ１の値を現状よりも大きな値に変更する。
【００５８】
これによれば、焦電素子１０の波形信号が第１の閾値ＴＨ１を断続的に超える場合に、第１の閾値ＴＨ１の値が現状よりも大きな値に変更される。これにより、人が存在しない場合に電子機器１の負荷２０が駆動された状態となることを抑制することができる。
【００５９】
また、電子機器１は、照明器具であり、負荷２０は、光源であってもよい。
【００６０】
これによれば、人が存在しない場合に照明器具の光源が点灯された状態となることを抑制することができる。
【００６１】
また、第１の閾値ＴＨ１は、人が定位置で動いているか否かを判断するための基準値であってもよい。
【００６２】
これによれば、第１の閾値ＴＨ１を用いて人が定位置で動いているか否かを判断することができ、人が存在しない場合に電子機器１の負荷２０が駆動された状態となることを抑制することができる。
【００６３】
また、閾値設定部３１は、第１の閾値ＴＨ１の値を変更した後、上記波形信号が変更前の第１の閾値ＴＨ１を超えるか否かを判断してもよい。
【００６４】
これによれば、第１の閾値ＴＨ１が適切な値であるか否かを監視することができる。
【００６５】
また、閾値設定部３１は、第１の閾値ＴＨ１の値を変更した後、上記波形信号が変更前の第１の閾値ＴＨ１を超えない場合に、第１の閾値ＴＨ１を変更後の値から変更前の値に戻してもよい。
【００６６】
これによれば、第１の閾値ＴＨ１を適切な値に戻すことができる。これにより、第１の閾値ＴＨ１が大きくなりすぎて負荷２０が駆動しなくなることを抑制することができる。
【００６７】
また、焦電素子１０は、上記波形信号として、アナログ信号を出力してもよい。
【００６８】
これによれば、閾値設定部３１は、波形信号に対する第１の閾値ＴＨ１を簡易に設定することができる。
【００６９】
また、第１の閾値ＴＨ１は、焦電素子１０の最大出力電圧の１／５以下であってもよい。
【００７０】
これによれば、閾値設定部３１は、第１の閾値ＴＨ１を適切に設定することができる。
【００７１】
また、電子機器１は、さらに、人が移動しているか否かを判断するための基準値である第２の閾値ＴＨ２を記憶する記憶部３３を備え、閾値設定部３１は、変更後の第１の閾値ＴＨ１を第２の閾値ＴＨ２以下に設定してもよい。
【００７２】
これによれば、閾値設定部３１は、第１の閾値ＴＨ１を適切に設定することができ、例えば第１の閾値ＴＨ１が大きくなりすぎて負荷２０が駆動しなくなることを抑制することができる。
【００７３】
また、第２の閾値ＴＨ２は、焦電素子１０の最大出力電圧の３／５以上であってもよい。
【００７４】
これによれば、第２の閾値ＴＨ２が適切に設定される。
【００７５】
また、閾値設定部３１は、検知領域に人が存在せずかつ波形信号が第１の閾値ＴＨ１を規定期間に規定回数超える場合に、第１の閾値ＴＨ１の値を現状よりも大きな値に変更してもよい。
【００７６】
これによれば、焦電素子１０の波形信号が第１の閾値ＴＨ１を規定期間に規定回数超える場合に、第１の閾値ＴＨ１の値が現状よりも大きな値に変更される。これにより、第１の閾値ＴＨ１が適切に変更され、人が存在しない場合に電子機器１の負荷２０が駆動された状態となることを抑制することができる。
【００７７】
また、上記規定期間は１分であり、上記規定回数は９回以上２６回以下であってもよい。
【００７８】
これによれば、焦電素子１０の波形信号が第１の閾値ＴＨ１を１分間に９回以上２６回以下の間で超える場合に、第１の閾値ＴＨ１の値が現状よりも大きな値に変更される。これにより、第１の閾値ＴＨ１が適切に変更され、人が存在しない場合に電子機器１の負荷２０が駆動された状態となることを抑制することができる。
【００７９】
（その他の実施の形態）
以上、実施の形態に係る電子機器１について説明したが、本発明は、上記実施の形態に限定されるものではない。
【００８０】
上記実施の形態では、電子機器１の一例として照明器具を示したが、それに限られず、電子機器１は空調機であってもよい。すなわち空調機が、焦電素子１０、負荷２０、制御部３０を備えていてもよい。
【００８１】
また、上記実施の形態の図１では、天井に１つの電子機器１が設置されている例を示したが、それに限られず、天井に複数の電子機器１が設置され、それぞれの電子機器１にて第１の閾値ＴＨ１の値の変更が行われてもよい。
【００８２】
また、上記実施の形態の図８のステップＳ２２では、電子機器１の負荷２０の駆動を停止する例を示したが、制御部３０は、駆動を停止する前に停止予告を行ってもよい。例えば電子機器１が照明器具である場合、制御部３０は光源の明るさまたは色温度を変えたり、照明器具から出力される音、振動、匂いまたは表示を変えたりして、照明器具が消灯することをユーザに報知してもよい。
【００８３】
その他、実施の形態に対して当業者が思いつく各種変形を施して得られる形態や、本発明の趣旨を逸脱しない範囲で各実施の形態における構成要素および機能を任意に組み合わせることで実現される形態も本発明に含まれる。
【符号の説明】
【００８４】
１    電子機器
１０  焦電素子
２０  負荷（光源）
３０  制御部
３１  閾値設定部
３２  駆動部
３３  記憶部
ＴＨ１  第１の閾値
ＴＨ２  第２の閾値
【図１】
2020194626.tif 000003
【図２】
2020194626.tif 000004
【図３】
2020194626.tif 000005
【図４】
2020194626.tif 000006
【図５】
2020194626.tif 000007
【図６】
2020194626.tif 000008
【図７】
2020194626.tif 000009
【図８】
2020194626.tif 000010
【図９】
2020194626.tif 000011
【図１０】
2020194626.tif 000012
【図１１】
2020194626.tif 000013